(57)【特許請求の範囲】
【請求項１】
監視対象の被監視設備に対して監視や操作をするための監視卓を有する施設管制装置であって、
前記監視卓とは異なるガイダンス卓のガイダンス画面を編集するガイダンス編集手段を具備し、
前記ガイダンス編集手段は、
オペレータによる操作に応じて、前記被監視設備の個別監視項目に対応する前記監視卓の監視画面の監視画面遷移を指示するための監視画面遷移ボタンを前記ガイダンス画面に設定する監視画面遷移ボタン設定手段と、
前記オペレータによる操作に応じて、前記個別監視項目の状態を確認可能な個別監視アイコンを前記ガイダンス画面に設定する個別監視アイコン設定手段と、
前記オペレータによる操作に応じて、前記被監視設備の個別制御項目の制御コマンドを送出するための個別制御ボタンを前記ガイダンス画面に設定する個別制御ボタン設定手段と
を含む構成である施設管制装置。
【請求項２】
前記ガイダンス編集手段は、
前記ガイダンス画面を前記オペレータごとに設定可能にする手段を含む請求項１記載の施設管制装置。
【請求項３】
前記ガイダンス編集手段は、
前記オペレータによる操作に応じて、対応するカメラ映像画面を前記監視卓に表示させるカメラ映像画面遷移を指示するためのカメラ映像画面遷移ボタンを前記ガイダンス画面に設定するカメラ映像画面遷移ボタン設定手段を含む請求項１又は２記載の施設管制装置。
【発明の詳細な説明】
【技術分野】
【０００１】
本発明の実施形態は、施設管制システム等に用いられる施設管制装置に関する。
【背景技術】
【０００２】
施設管制システムにおいてオペレータが監視業務を実施している際に、ある重要事象が発生した場合、その事象に関連してどのような事象が起こりえるのか、また、オペレータはどのような対応をしなければならないのかを把握することは非常に重要であり、事象の波及規模や復旧にかかる時間に大きく関係する。
【０００３】
このため、施設管制システムでは通常の監視業務を行うための監視用マンマシン（以下監視卓と称する。）の他に、災害時などに運用フローや関係連絡先等のガイダンスを表示するガイダンス表示用マンマシン（以下ガイダンス卓と称する。）を設置することがある。
【先行技術文献】
【特許文献】
【０００４】
【特許文献１】特開２０００−１１２５２１号公報
【発明の概要】
【発明が解決しようとする課題】
【０００５】
しかしながら、ガイダンス卓で表示する画面に関し、オペレータで編集が可能な箇所はテキストの部分のみで、その他の箇所はフォーマットが固定されており、変更するには製作メーカによる改修が必要であるなど、自由度が低いものであった。
【０００６】
本実施形態の目的は、ガイダンス画面の操作効率の高め、オペレータの業務効率を向上できる施設管制装置を提供することにある。
【課題を解決するための手段】
【０００７】
本実施形態に係る施設管制装置は、監視対象の被監視設備に対して監視や操作をするための監視卓を有する施設管制装置であって、前記監視卓とは異なるガイダンス卓のガイダンス画面を編集するガイダンス編集手段を具備し、前記ガイダンス編集手段は、オペレータによる操作に応じて、前記被監視設備の個別監視項目に対応する前記監視卓の監視画面の監視画面遷移を指示するための監視画面遷移ボタンを前記ガイダンス画面に設定する監視画面遷移ボタン設定手段と、前記オペレータによる操作に応じて、前記個別監視項目の状態を確認可能な個別監視アイコンを前記ガイダンス画面に設定する個別監視アイコン設定手段と、前記オペレータによる操作に応じて、前記被監視設備の個別制御項目の制御コマンドを送出するための個別制御ボタンを前記ガイダンス画面に設定する個別制御ボタン設定手段とを含む構成である。
【図面の簡単な説明】
【０００８】
【図１】本実施形態に係る施設管制システムを示す構成図。
【図２】ガイダンス編集装置の構成を示す機能ブロック図。
【図３】監視画面遷移ボタンの設定方法を説明するための図。
【図４】画面遷移割付設定ウィンドウの一例を示す図。
【図５】個別制御ボタン及び個別監視アイコンの表示例を示す図。
【図６】本実施形態に係るガイダンス画面の表示例を示す図。
【図７】オペレータ専用画面の一例を示す図。
【図８】施設管制システムの動作を示すシーケンス図。
【図９】従来のガイダンス画面の表示例を示す図。
【発明を実施するための形態】
【０００９】
以下、図面を参照しながら本実施形態に係る施設管制装置を説明する。
【００１０】
図１は、本実施形態に係る施設管制システムを示す構成図である。管制室に設けられる施設管制システム１は、ネットワークＮＷを介して複数の電気室等に設けられる被監視システム２と接続される。施設管制システム１には、伝送親局１１、中央処理装置１２、監視卓１３、ガイダンス卓１４、大型ディスプレイ１５、ガイダンス編集装置１６及びガイダンス情報メモリ１７を備える。被監視システム２には、伝送子局２１及び監視対象となる被監視設備２２を備える。
【００１１】
伝送親局１１は、ネットワークＮＷへの接続インタフェースであり、ネットワークＮＷを介して被監視システム２の伝送子局２１との間でデータの送受信を行う。中央処理装置１２は、被監視システム２から送られてくる被監視設備２２の状態情報に基づいて、被監視設備２２を統括的に監視し、監視卓１３および大型ディスプレイ１５に監視画面を表示する。また、中央処理装置１２は、被監視設備２２について、火災や停電、設備故障等の異常が発生した場合に、オペレータが適切な処理及び判断を行うためのガイダンス画面をガイダンス卓１４に表示する。ガイダンス画面は、画面ごとに任意の個別監視項目と対応付けることができ、個別監視項目がＯＮになった際に当該個別監視項目に対応するガイダンス画面をガイダンス卓１４に自動的に表示させることが可能である。ガイダンス画面として表示するためのガイダンス情報は、ガイダンス情報メモリ１７に格納され、ガイダンス編集装置１６により編集が行われる。
【００１２】
図２は、ガイダンス編集装置の構成を示す機能ブロック図である。ガイダンス編集装置１６は、テキストデータ設定部２０１、画像データ設定部２０２、監視画面遷移ボタン設定部２０３、カメラ映像画面遷移ボタン設定部２０４、個別制御ボタン設定部２０５、個別監視アイコン設定部２０６及びオペレータ専用画面設定部２０７を有する。以下に、ガイダンス画面の編集に関する各機能の詳細を説明する。
【００１３】
（テキストボックスの配置）  
テキストデータ設定部２０１は、オペレータが作成したテキストボックスをガイダンス画面上の任意の位置に配置可能とし、テキストボックスのサイズ、枠線の太さ、色の変更が可能とする。また、テキストボックスに設定されたフォントの変更についても可能とする。
【００１４】
（画像データの貼付）  
画像データ設定部２０２は、ガイダンスＰＣに読み込んだ画像データ（ＪＰＥＧ／ＰＮＧ／ＢＭＰ／ＧＩＦ／ＴＩＦＦ形式など）を、ガイダンス画面上の任意の位置に配置可能とし、サイズ変更、トリミング等の処理についても可能とする。
【００１５】
（監視画面遷移ボタンの配置）  
監視画面遷移ボタン設定部２０３は、ガイダンス画面上に監視画面ＩＤを割り当てた画面遷移ボタンの配置を可能とする。監視画面は画面ごとに固有のＩＤ番号を有しており、ガイダンス画面上の遷移ボタンをクリックすると監視卓１３の監視画面が当該ＩＤ番号の監視画面に遷移する。
【００１６】
図３を参照して、監視画面遷移ボタンの設定方法について説明する。図３（ａ）において、監視画面遷移ボタン設定部２０３は、オペレータの操作にしたがって、ガイダンス画面上に図形オブジェクトを配置する。このとき、当該オブジェクトに表示する文字の設定も可能である。図３（ｂ）に示すようにオペレータにより対象の図形オブジェクトに対し右クリック等の操作がされると、監視画面遷移ボタン設定部２０３は、プロパティウィンドウを開き、画面遷移割付設定ウィンドウを表示する。図３（ｃ）において、オペレータは、画面遷移割付設定ウィンドウにおいて当該オブジェクトを選択したときに遷移させる画面番号を入力し、「決定」ボタンを押下する。画面番号ついては、「検索」ボタンにより場所、設備などのキーワードによって検索することもできる。画面名称は、画面番号に対応する名称が自動的に入力される。図３（ｄ）に示すように、画面遷移設定が完了すると対象オブジェクトが立体的になるなど、判別しやすい形状で表示される。
【００１７】
（カメラ映像画面遷移ボタンの配置）  
カメラ映像画面遷移ボタン設定部２０４は、ガイダンス画面上にカメラＩＤを割り当てたカメラ映像画面遷移ボタンの配置を可能とする。カメラ映像画面はカメラごとに固有のＩＤ番号を有しており、ガイダンス画面上の遷移ボタンをクリックすると監視卓１３の監視画面が該当ＩＤ番号のカメラ映像画面に遷移する。カメラ映像画面遷移ボタンの設定方法は、上述した監視画面遷移ボタンの設定手順と同様であり、図３（ｃ）において、画面番号がカメラ番号となる。
【００１８】
（個別制御ボタンの配置）  
個別制御ボタン設定部２０５は、ガイダンス画面上に個別制御ＩＤを割り当てたボタンの配置を可能とする。制御項目は項目ごとに固有のＩＤ番号を有しており、監視卓１４からだけでなく、ガイダンス画面上からも制御コマンドの送出を可能とする。個別制御ボタンの設定方法は後述の（個別監視アイコンの配置）にて説明する。
【００１９】
（個別監視アイコンの配置）  
個別監視アイコン設定部２０６は、ガイダンス画面上に個別監視ＩＤを割り当てたアイコンの配置を可能とする。個別監視項目は、項目ごとに固有のＩＤ番号を有しており、ガイダンス画面上で個別監視項目の状態確認（ＯＮかＯＦＦか）を可能にする。
【００２０】
ここで、図４を参照して、個別制御ボタン及び個別監視アイコンの設定方法について説明する。上記図３（ａ），（ｂ）のように、オペレータは、図４の個別制御・個別監視割付設定ウィンドウを呼び出し、個別制御・個別監視の有無をチェックボックス等で選択し、項目番号を入力し、「決定」ボタンを押下する。項目番号は、画面遷移割付設定ウィンドウと同様に、「検索」ボタンにより場所、設備などのキーワードによって検索が可能である。項目名称は、項目番号に対応する名称が自動的に入力される。なお、個別制御を割り当てるとオブジェクトに設定していた文字は非表示となり、その代わりに項目ごとに予めデータベース上で定義されている文字（図４では“運転”、“停止”）が自動表示される。個別監視アイコンの表示色は、クリック等により表示されるカラーパレットなどから選択可能とする。
【００２１】
図５は、個別制御ボタン及び個別監視アイコンの表示例である。図５（ａ）は個別制御ありで、個別監視なしの場合を示す。図５（ｂ）は個別制御ありで、個別監視ありの場合であって個別監視項目がＯＮの表示を示す。図５（ｃ）は個別制御なしで、個別監視ありの場合を示す。なお、制御を行う際には当該オブジェクトをクリックすると、図５（ｄ）のような制御ウィンドウが現れ、この例では「運転」又は「停止」を選択し、「実行」ボタンをクリックすると、制御コマンドが送出される。
【００２２】
図６に、上記ガイダンス画面編集機能により作成されたガイダンス画面の一例を示す。図６では、（１）に個別監視・個別制御ボタン、（２）に個別監視アイコン、（３）に監視画面遷移ボタンを配置したものである。
【００２３】
（オペレータ専用画面設定）  
オペレータ専用画面設定部２０７は、上記ガイダンス画面編集機能を利用して、オペレータごとの専用画面（マイページ）の設定を可能とする。オペレータはＩＤ、パスワードの管理によるログインなどによりシステム上での個人識別を可能とし、オペレータごとに専用の「マイページ」領域を所有することができる。
【００２４】
図７に、オペレータ専用画面の一例を示す。図７では、上段に明り部系（ＩＣ（インターチェンジ）やＳＡ（サービスエリア）、ＰＡ（パーキングエリア）など）、下段にトンネル系として、１つの監視画面遷移ボタンと複数の個別監視アイコンをセットにして配置したものである。このように、「マイページ」ではガイダンス画面編集機能を利用して、任意にテキストボックスや監視画面遷移ボタンなどを配置可能とする。なお、「マイページ」はオペレータごとの個人保存領域に保持されることに対し、上記設定した図６のガイダンス画面は共通保存領域で保持され、オペレータ間で共通の情報とする。
【００２５】
次に、図８のシーケンスを参照して、施設管制システムの動作について説明する。  
中央処理装置１２は、被監視システム２から被監視設備２２についてガイダンス画面の自動表示を割りつけた異常事象などの個別監視項目の発生通知を受けると（ステップＳ１）、監視卓１３とガイダンス卓１４に対して当該監視項目に紐付けされている表示画面への切替指示を行う（ステップＳ２）。監視卓１３は、中央処理装置１２から監視画面番号を受信すると、当該監視画面番号に対応する監視画面を表示する（ステップＳ３）。ガイダンス卓１４は、中央処理装置１２からガイダンス画面番号を受信すると、当該ガイダンス画面番号に対応するガイダンス画面を表示する（ステップＳ４）。
【００２６】
ガイダンス卓１４は、ガイダンス画面に配置される個別監視アイコンの表示を行うために（ステップＳ５）、当該個別監視アイコンに紐付けされている個別監視項目を中央処理装置１２に送信する。中央処理装置１２は、当該個別監視項目の状態を取得し（ステップＳ６）、状態情報としてガイダンス卓１４に送信する。ガイダンス卓１４は、この状態情報に基づいてガイダンス画面上の個別監視アイコンにその状態を反映するような表示を行う。
【００２７】
オペレータにより監視画面遷移ボタンが選択されると（ステップＳ７）、ガイダンス卓１４は、監視画面遷移ボタンに紐付けされている監視画面番号を監視卓１３に送信し、監視画面の切替を行う（ステップＳ８）。また、オペレータによりカメラ映像画面遷移ボタンが選択されると（ステップＳ９）、ガイダンス卓１４は、カメラ映像画面遷移ボタンに紐付けされているカメラ番号を監視卓１３に送信し、カメラ映像画面の切替を行う（ステップＳ１０）。
【００２８】
オペレータにより個別制御ボタンが選択されると（ステップＳ１１）、個別制御ボタン紐付けされている制御項目を中央処理装置１２に送信し、中央処理装置１２に制御指示を行う。中央処理装置１２は、制御項目に該当する被監視設備２２に対し制御コマンドを送出し、実行結果をガイダンス卓１４に送信する（ステップＳ１２）。ガイダンス卓１４のガイダンス画面上には実行結果が表示される。
【００２９】
図９に監視画面および従来のガイダンス画面の一例を示す。個別監視項目がＯＮになると、監視卓１３には当該監視項目が割り付けられた監視画面（図９（ａ））が表示され、ガイダンス卓には当該監視項目のガイダンス画面（図９（ｂ））が表示される。オペレータは、ガイダンス卓１４に表示されているガイダンスに従って個別監視項目の確認を実施するが、図９（ｂ）の（１）〜（３）の項目がそれぞれ別の監視画面上に割り付けられている場合、監視卓１３においてそれぞれの監視画面を検索し、表示を切替えて確認する必要がある。図９（ｂ）の例では少なくとも３回は画面切替えを行う必要がある。
【００３０】
これに対し、本実施形態によれば、個別監視項目がＯＮになったときにガイダンス卓に表示するガイダンス画面を上記図６のように設定することにより、監視画面の切替回数を１回に減らすことができ、切替える場合でも検索の手間を省き迅速かつ容易に行うことができる。図６（１）のように監視機能と制御機能を割り当てたアイコンを配置することで、監視卓でわざわざ該当画面に切替えて確認する手間を省くことができ、適切な状態になっていない場合には、監視卓に移ることなく、ガイダンス画面上から制御を行うこともできる。また、図６（２）のように監視機能を割り当てたアイコンを配置することで、監視卓でわざわざ該当する画面に切り替る手間を省くことができる。図６（３）のように監視画面遷移ボタンを配置することで、監視卓の画面切替が可能となり、監視卓で“該当する画面を探す”という行為が不要となる。「Ｂトンネル」という監視画面遷移ボタンをクリックすると、監視卓がＢトンネルの監視画面に切り替わるため、従来に比べて操作効率が向上する。
【００３１】
すなわち、本実施形態によれば、従来に比べて監視画面の画面切替回数を減らすことができ、オペレータの操作効率を向上することができる。また、ガイダンス画面の編集に関する自由度を高め、オペレータの業務効率の向上を促すとともに個々のオペレータの嗜好に合ったガイダンス画面を提供することができる。
【００３２】
なお、いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
１…施設管制システム、１１…伝送親局、１２…中央処理装置、１３…監視卓、１４…ガイダンス卓、１５…大型ディスプレイ、１６…ガイダンス編集装置、１７…ガイダンス情報、２…被監視システム、２１…伝送子局、２２…被監視設備、ＮＷ…ネットワーク、２０１…テキストデータ設定部、２０２…画像データ設定部、２０３…監視画面遷移ボタン設定部、２０４…カメラ映像画面遷移ボタン設定部、２０５…個別制御ボタン設定部、２０６…個別監視アイコン設定部、２０７…オペレータ専用画面設定部。
【図１】
0005826544.tif 000002
【図２】
0005826544.tif 000003
【図３】
0005826544.tif 000004
【図４】
0005826544.tif 000005
【図５】
0005826544.tif 000006
【図６】
0005826544.tif 000007
【図７】
0005826544.tif 000008
【図８】
0005826544.tif 000009
【図９】
0005826544.tif 000010